(57)【特許請求の範囲】
【請求項１】
看護業務の実施予定を規定した看護業務予定情報を記憶する予定記憶部と、
上記看護業務予定情報に含まれていない不測の看護業務が看護師によって行われたことを検出する不測業務実施検出手段と、
上記不測業務実施検出手段により上記不測の看護業務が看護師によって行われたことが検出されたときに、上記予定記憶部に記憶されている上記看護業務予定情報を変更する予定変更手段とを備え、
上記不測業務実施検出手段は、看護業務を行う際に使用される個々の対象物またはその収納領域に配置され上記対象物の識別情報を出力する識別情報出力手段と、
上記識別情報出力手段により出力された識別情報を入力し、上記識別情報により示される上記対象物の使用履歴情報を記録媒体に記録する対象物記録手段と、
上記看護業務の内容とその看護業務で使用する１以上の対象物の種類とを互いに関連付けた看護業務情報を個々の看護業務毎に記憶してなる看護業務情報記憶部と、
上記対象物記録手段により記録された上記対象物の使用履歴情報と上記看護業務情報記憶部に記憶されている上記看護業務情報とを照合し、上記対象物の使用履歴から上記看護業務の内容を特定する業務特定手段と、
上記業務特定手段により特定された看護業務を上記看護業務予定情報と照合することによって、上記業務特定手段により特定された看護業務が上記看護業務予定情報に含まれていないときに、上記不測の看護業務が看護師によって行われたことを検出する業務照合手段とを備えたことを特徴とする看護業務管理システム。
【請求項２】
上記対象物記録手段が上記記録媒体に記録する上記対象物の使用履歴情報は上記対象物の使用時刻情報を含み、
上記業務特定手段は、上記対象物の使用履歴情報から上記看護業務の内容および実施時刻を特定し、
上記予定変更手段は、上記看護業務予定情報に含まれる看護業務のうち、上記業務特定手段により特定された上記不測の看護業務の実施時刻以降の看護業務に関する実施予定時刻を、上記業務特定手段により特定された上記不測の看護業務についてあらかじめ決められた時間に基づいて変更することを特徴とする請求項１に記載の看護業務管理システム。
【請求項３】
上記対象物記録手段が上記記録媒体に記録する上記対象物の使用履歴情報は上記対象物の使用時刻情報を含み、
上記業務特定手段は、上記対象物の使用履歴情報から上記看護業務の内容、実施時刻および実施時間を特定し、
上記予定変更手段は、上記看護業務予定情報に含まれる看護業務のうち、上記業務特定手段により特定された上記不測の看護業務の実施時刻以降の看護業務に関する実施予定時刻を、上記業務特定手段により特定された上記不測の看護業務の実施時間に基づいて変更することを特徴とする請求項１に記載の看護業務管理システム。
【発明の詳細な説明】
【技術分野】
【０００１】
本発明は看護業務管理システムに関し、特に、予定された様々な看護業務を看護師が実施することを支援するシステムに用いて好適なものである。
【背景技術】
【０００２】
周知のように、病院や福祉介護施設では、主に看護師や介護師（以下、看護師および介護師をまとめて単に「看護師」という）と患者や被介護者（以下、患者および被介護者をまとめて単に「患者」という）とが通話するためのナースコールシステムが設置されている。このナースコールシステムでは、患者が呼び出しに使用するナースコール子機が各ベッドに備えられ、ナースステーションにはナースコール親機が設置されていて、その間で通話できるようになっている。
【０００３】
最近では、看護師が携帯するＰＨＳ（Personal Handy-phone System）端末とＰＢＸ（Private Branch Exchange：電話交換機）とを組み合わせたナースコールシステムも提供されている。この種のナースコールシステムにおいて、患者がナースコール子機の呼出ボタンを押下して呼び出しを行うと、呼び出しが行われたことがＰＨＳ端末やナースコール親機にて報知される。看護師は、自身が携帯するＰＨＳ端末や、ナースコール親機のハンドセット等によって応答する。
【０００４】
ところで、看護師は複数の患者を担当しているのが普通であり、看護業務も多岐に渡っている。看護師は、担当の患者に対して「オーダー」としてあらかじめ決められた看護業務を予定に従って行うほか、ナースコールが発生したときに呼出元の患者に対して所要の看護業務を行う。なお、オーダーとは、医療現場における医療行為の指示であり、例えば検査オーダー、処方オーダー、リハビリオーダー、注射オーダーなどがある。
【０００５】
従来、看護師が行う看護業務のスケジュールをサーバで管理して看護師の使用端末に予定を表示するシステムが存在する（例えば、特許文献１参照）。この特許文献１に記載のシステムでは、看護師はＰＤＡ（Personal Digital Assistant）などの看護支援端末を保持し、オーダー用紙に貼付された非接触タグシールをＰＤＡの読取部で読み取り、当該非接触タグシールの示すオーダー識別情報に対応するオーダー情報を看護支援サーバから読み込む。看護師は、ＰＤＡの表示部に表示されるオーダー情報に従って、オーダー処理を行う。また、オーダー処理の内容をＰＤＡおよび看護支援サーバが照合してチェックする仕組みや、オーダーの追加や変更が指示された場合に、担当の看護師が所持するＰＤＡに即座に音声、ボタン点滅、バイブレーション等で報知する仕組みも盛り込まれている。
【特許文献１】特開２００６−３０９３００号公報
【０００６】
また、看護師毎のスケジュールを作成することに加えて、看護師が予定の看護業務を実施済みか否かまで管理するシステムも提案されている（例えば、特許文献２参照）。この特許文献２では、看護師、患者、医薬品、薬品棚、医療機器に非接触タグ装置を取り付け、病室の出入口などにタグリーダを設置する。そして、タグリーダにより読み取られたタグの種類および読取時刻を取得し、取得した情報に基づいて、看護業務予定表に含まれる看護業務を特定して実施済とする。具体的には、タグから読み取った看護師名、患者名、医薬品、場所、時間等のタグ情報を分析し、分析したタグ情報が看護業務予定表のどの行為レコードに当てはまるかを検出する。
【特許文献２】特開２００６−２６０４３７号公報
【０００７】
さらに、自分が実施すべきことを看護師自身が予定として入力し、予定時間になったら予定を入力した本人に報知するようにしたシステムも提供されている（例えば、特許文献３参照）。この特許文献３では、看護師が所持するＰＨＳ端末に自分が実施する看護予定（患者名、看護内容、予定時刻、呼び出し先）を入力すると、入力した内容がナースコール制御機に送られて記憶される。ナースコール制御機は、予定時刻を常に監視し、予定時刻になると指定されたＰＨＳ端末に呼び出しを行う。
【特許文献３】特開２００６−２３８１３４号公報
【発明の開示】
【発明が解決しようとする課題】
【０００８】
上記特許文献１〜３に記載された従来のシステムを用いれば、予定された様々な看護業務を看護師が忘れないで実施することを支援することができる。しかしながら、上記従来のシステムでは、予定外のナースコールがあったときのことは何ら考慮されていない。すなわち、ナースコールがなければ看護師は予定通り看護業務を実施することができ、その予定を管理してくれる上記従来のシステムはかなり有用なものとなる。
【０００９】
ところが、ナースコールは予定と関係なく発生する。このため、看護師がナースコールに応答して不測の看護業務を行うと、その後の看護業務はオーダーによって予定された通り（看護業務予定表の通り）には実施できなくなる。この場合に、看護師が所持する端末に看護予定を表示したり、予定時刻になったときに報知を行ったりすると、予定通りに看護業務を実施できていないという焦燥感を看護師に与えてしまうという問題があった。
【００１０】
本発明は、このような問題を解決するために成されたものであり、予定された看護業務に加えて、不測のナースコールに応答して行う看護業務も考慮して、看護師が様々な看護業務を適切に実施することを支援できるようにすることを目的とする。
【課題を解決するための手段】
【００１１】
上記した課題を解決するために、本発明では、看護業務予定情報に含まれていない不測の看護業務が看護師によって行われたか否かを判定し、不測の看護業務が看護師によって行われたことが検出されたときに、看護業務予定情報を変更するようにしている。
ここで、不測の看護業務が看護師によって行われたか否かを判定する不測業務実施検出手段は、看護業務を行う際に使用される個々の対象物の使用履歴情報と、看護業務の内容とその看護業務で使用する１以上の対象物の種類とを互いに関連付けた看護業務情報とを照合することによって、対象物の使用履歴から看護業務の内容を特定し、当該特定された看護業務が看護業務予定情報に含まれていないときに、不測の看護業務が看護師によって行われたことを検出するようにしている。
【発明の効果】
【００１２】
上記のように構成した本発明によれば、例えば看護師が看護業務予定情報に従って看護業務を行っている途中で、ナースコールに応答して不測の看護業務を行うと、不測の看護業務を行ったことが検出されて、当該不測の看護業務を行った時間を考慮して看護業務予定情報が変更されることとなる。これにより、看護師は、ナースコールに応答して不測の看護業務を行った後も、変更された看護業務予定情報に従って看護業務を行うことができ、予定通りに看護業務を実施できていないという焦燥感を看護師に与えてしまう不都合を回避することができる。
【発明を実施するための最良の形態】
【００１３】
以下、本発明の一実施形態を図面に基づいて説明する。図１は、本実施形態による看護業務管理システムの全体構成例を示す図である。図１に示すように、本実施形態の看護業務管理システム１０は、主として非接触タグ装置（以下、これを単に「タグ装置」と称する）１と、非接触タグリーダ装置（以下、これを単に「タグリーダ装置」と称する）２と、サーバ装置３とを備えて構成されている。
【００１４】
タグ装置１は、看護師が看護業務を行う際に使用する個々の対象物またはその収納領域にそれぞれ取り付ける。対象物の例としては、医薬品の包装、薬品収納ケース、医療機器、医療器具、カルテ、処方箋、食器などが挙げられる。なお、薬品収納ケースにタグ装置１を取り付ける際、当該ケース内に複数種類の医薬品が収納される場合には、個々の医薬品の収納位置毎にタグ装置１を取り付ける。一方、ケース内に１種類の医薬品が収納される場合には、そのケースに対して１つタグ装置１を取り付ければよい。
【００１５】
この他、病室の出入口にある扉や病室内の床、ベッドなどにタグ装置１を取り付けても良い。ベッドの代わりに、患者が着ている衣類にタグ装置１を取り付けるようにしても良い。なお、ここでは衣類としたが、これに限定されない。要は患者が院内を移動する場合に患者と共に移動する物であれば、いかなる物にタグ装置１を取り付けても良い。
【００１６】
タグリーダ装置２は、看護業務を行う看護師が携帯する。そして、看護師が看護業務を行う際には、タグリーダ装置２をタグ装置１に近接させる。例えば、看護師が患者に対して看護業務を施す前に、その患者の衣類あるいはベッド等に設けたタグ装置１にタグリーダ装置２を近接させる。更にその後、医薬品や医療器具などの対象物を使用して看護業務を実施する際に、使用する個々の対象物またはその収納領域に設けたタグ装置１にタグリーダ装置２を近接させる。
【００１７】
タグ装置１は、タグリーダ装置２が近接したときに、電磁波などを用いてタグリーダ装置２と無線で通信できるようになっている。本実施形態において、タグ装置１とタグリーダ装置２とは、例えば１０ｃｍ以下の通信距離の近距離無線通信を行う。タグリーダ装置２は、タグ装置１との近距離無線通信機能に加えて、アクセスポイント４を介して院内ネットワーク５に接続する機能を備えている。この院内ネットワーク５には、サーバ装置３が接続されている。これによりタグリーダ装置２は、アクセスポイント４および院内ネットワーク５を介してサーバ装置３と通信できるようになっている。
【００１８】
なお、タグリーダ装置２は、例えば看護師が携帯するＰＨＳ端末などに内蔵する構成としても良い。また、看護師が装着するリストバンドにタグリーダ装置２を付設する構成としても良い。後者のように構成すれば、看護師が対象物を手にとると自然にタグリーダ装置２がタグ装置１に近接するので、タグリーダ装置２をタグ装置１にわざわざ近接させる手間を省けて好ましい。
【００１９】
図２は、本実施形態よる看護業務管理システムの他の構成例を示す図である。図２に示す例は、既存のナースコールシステムが備えるナースコール制御機３’を図１のサーバ装置３として用いるものであり、サーバ装置３の機能をナースコール制御機３’に持たせる。
【００２０】
図２において、５１はナースコール親機であり、例えばナースステーションに設置される。このナースコール親機５１は、患者（ナースコール子機）からの呼び出しに対する応答の操作を行うためのハンドセットを備えている。ナースコール制御機３’は、図示しない廊下灯を通じて、ナースコール親機５１と図示しないナースコール子機との間で通話やデータの送受信に関する制御を行う。
【００２１】
５２はコードレス主装置であり、各看護師が所持するＰＨＳ端末５３を用いた通話やデータの送受信に関する制御を行う。このコードレス主装置５２は、例えば病院内の通信センタに設置される。５４はＰＨＳ端末５３と通信するための無線基地局である。
【００２２】
なお、図２の例ではＰＨＳ端末５３とは別にタグリーダ装置２を設ける構成を示しているが、上述したように、ＰＨＳ端末５３にタグリーダ装置２を内蔵する構成としても良い。この場合は、タグリーダ装置２により読み取られたタグ装置１の情報が、無線基地局５４およびコードレス主装置５２を介してナースコール制御機３’に送られる。
【００２３】
図３は、図１に示したタグ装置１、タグリーダ装置２およびサーバ装置３の機能構成例を示すブロック図である。なお、ここではサーバ装置３の機能構成を示すが、図２に示したナースコール制御機３’もこれと同様の機能構成を有する。図３に示すように、タグ装置１は、これが取り付けられる物の識別情報を記憶するＩＤ記憶部１１と、タグリーダ装置２が近接したときに識別情報を発信する発信部１２とを備えている。
【００２４】
医薬品の包装や薬品収納ケースに取り付けられるタグ装置１のＩＤ記憶部１１には、当該医薬品の種類を一意に特定可能な識別情報が記憶される。同様に、医療機器、医療器具、カルテ、処方箋、食器、ベッド、患者などに取り付けられるタグ装置１のＩＤ記憶部１１には、当該医療機器、医療器具、カルテ、処方箋、食器、ベッド、患者などを一意に特定可能な識別情報が記憶される。以下、ＩＤ記憶部１１に記憶される識別情報のうち、看護師が看護業務を行う際に使用される対象物またはその収納領域に取り付けられるタグ装置１に記憶されるものを「対象物ＩＤ」と称し、ベッドや患者に取り付けられるタグ装置１に記憶されるものを「患者ＩＤ」と称する。
【００２５】
発信部１２は、識別情報を出力する本発明の識別情報出力手段に相当するものである。この発信部１２は、タグリーダ装置２と近距離無線通信による交信を行うとともに、電磁誘導による電力供給を受けるためのアンテナコイルを備えている。電磁誘導により起電力を得るために、タグ装置１は、図示しない整流回路や電源回路などを備えている。なお、電磁誘導により起電力を得るための構成は公知のものを適用できるので、ここでは詳細な説明を割愛する。
【００２６】
また、タグリーダ装置２は、看護師ＩＤ記憶部２１と、受信部２２と、タイマ２３と、送信判定部２４と、ネットワーク送信部２５とを備えている。看護師ＩＤ記憶部２１は、タグリーダ装置２を携帯する看護師を一意に特定可能な識別情報（以下、これを「看護師ＩＤ」と称する）を記憶する。受信部２２は、タグ装置１と近距離無線通信による交信を行うとともに、電磁誘導による電力供給を行うためのアンテナコイルを備えており、タグ装置１の発信部１２から出力された対象物ＩＤや患者ＩＤを受信する。
【００２７】
タイマ２３は、タグリーダ装置２がタグ装置１から対象物ＩＤや患者ＩＤを読み取っている時間を計測する。上述のように、タグ装置１の発信部１２からタグリーダ装置２の受信部２２に対して対象物ＩＤや患者ＩＤが送信されるが、タグ装置１との通信可能範囲内にタグリーダ装置２が近接している間は、タグ装置１とタグリーダ装置２との間で交信が繰り返し行われる。つまり、看護師が対象物を使用することによってタグ装置１とタグリーダ装置２とが近接している間は交信が繰り返し行われている。このときタイマ２３は、その交信によりタグリーダ装置２がタグ装置１から対象物ＩＤまたは患者ＩＤを読み取っている時間を計測する。具体的には、タイマ２３は、受信部２２にて対象物ＩＤ等の受信を開始した時点から読取時間の計測を開始し、受信部２２にて対象物ＩＤ等の受信が終了した時点で読取時間の計測を終了する。
【００２８】
送信判定部２４は、タイマ２３により計測された時間が所定時間以上であるか否かを判定し、所定時間以上である対象物ＩＤや患者ＩＤのみをサーバ装置３に送信するようにネットワーク送信部２５を制御する。
【００２９】
ネットワーク送信部２５は、受信部２２によりタグ装置１から対象物ＩＤや患者ＩＤが受信されたときに、当該受信された対象物ＩＤまたは患者ＩＤと、看護師ＩＤ記憶部２１から読み出される看護師ＩＤとを、院内ネットワーク５を介してサーバ装置３に送信する。このときネットワーク送信部２５は、送信判定部２４による制御に従って、受信部２２により受信される対象物ＩＤや患者ＩＤのうち、タイマ２３により計測された読取時間が所定時間以上である対象物ＩＤや患者ＩＤだけをサーバ装置３に送信する。
【００３０】
このようにタイマ２３を使って対象物ＩＤ等の送信有無を判定するのは、看護師の所持するタグリーダ装置２が対象物や患者のタグ装置１に偶然に近づいただけのときに取得される対象物ＩＤ等は採用しないようにするためである。すなわち、看護師が対象物を使用していなくても、看護師の所持しているタグリーダ装置２が対象物のタグ装置１に偶然に近づくと、使用していない対象物に関しても対象物ＩＤの読み取りが行われてしまう可能性がある。しかし、看護師により実際に使用された対象物に関しては、実際に使用されていない対象物よりも対象物ＩＤの読取時間が長くなる。患者ＩＤも同様である。
【００３１】
そこで、本実施形態では、タグリーダ装置２がタグ装置１から対象物ＩＤや患者ＩＤを読み取っている時間をタイマ２３により測定し、これが所定時間以上であるか否かを送信判定部２４にて判定する。そして、対象物ＩＤや患者ＩＤの読取時間が所定時間以上である場合にのみ、ネットワーク送信部２５がその対象物ＩＤ等を院内ネットワーク５を介してサーバ装置３に送信するようにしている。
【００３２】
なお、ここでは対象物ＩＤ等の読取時間が所定時間以上であるか否かを判定するようにしているが、これに限定されない。例えば、タグリーダ装置２がタグ装置１から対象物ＩＤ等を所定時間以内に所定回数以上読み取ったか否かを判定するようにしても良い。上述のように、タグ装置１とタグリーダ装置２とが互いに近接している間は交信が繰り返し行われる。両者が偶然に一時的に近づいただけのときは、交信回数は少なくなる。これにより、一定時間以内に繰り返し行われた交信の回数、例えば対象物ＩＤの読取回数をもとに、看護師が対象物を実際に使用しているときに得られた対象物ＩＤであるか否かを判定することができる。
【００３３】
次いで、サーバ装置３は、ネットワーク受信部３１、対象物記録部３２、対象物使用履歴記憶部３３、看護業務情報記憶部３４、業務特定部３５、時計部３６、予定記憶部３７、業務照合部３８、予定変更部３９および予定出力部４０を備えている。ネットワーク受信部３１は、タグリーダ装置２から院内ネットワーク５を介して送られてくる対象物ＩＤ、患者ＩＤおよび看護師ＩＤを受信する。時計部３６は、ネットワーク受信部３１が対象物ＩＤを受信した日時を測定するために使用される。
【００３４】
対象物記録部３２は、本発明の対象物記録手段に相当するものであり、ネットワーク受信部３１により受信された対象物ＩＤ（識別情報出力手段により出力された対象物の識別情報）、患者ＩＤおよび看護師ＩＤを入力し、当該入力した各ＩＤを用いて対象物の使用履歴情報を対象物使用履歴記憶部３３（本発明の記録媒体に相当する）に記録する。このとき対象物記録部３２は、時計部３６により測定された時刻を合わせて記録する。
【００３５】
図４は、対象物使用履歴記憶部３３に記憶される対象物の使用履歴情報の例を示す図である。図４に示す例において、対象物使用履歴記憶部３３は、看護師ＩＤ、患者ＩＤ、使用した対象物、対象物の使用開始時刻および使用終了時刻の各項目を１つのレコードとして、複数レコードＲ１，Ｒ２，・・・にわたって対象物の使用履歴情報を記録している。ここで記録する対象物は、対象物ＩＤそのものであっても良いし、対象物ＩＤから特定される対象物の名称などであっても良い。図４の例では対象物の名称を記録するものとして図示しているが、以下では説明の便宜上、対象物ＩＤを記録するものとして説明する。
【００３６】
上述したように、看護師が対象物を使用している間はタグ装置１の対象物ＩＤがタグリーダ装置２により繰り返し読み取られ、その都度タグリーダ装置２からサーバ装置３に対象物ＩＤが送られてくる。こうして対象物ＩＤが送られてくる都度対象物使用履歴記憶部３３に対象物ＩＤを記録するようにしても良いが、これでは看護師が１つの対象物を使用し続けている間ずっと、同じ対象物ＩＤが複数レコードに渡って記録されてしまい、無駄である。
【００３７】
そこで本実施形態では、対象物記録部３２は、例えば同じ対象物ＩＤが続けてネットワーク受信部３１にて受信されているか否かを判定し、同じ対象物ＩＤが続けて受信されている間はその対象物ＩＤを１つのレコードに記録するように動作する。そして、その同じ対象物ＩＤを最初にネットワーク受信部３１で受信した時刻を時計部３６より取得して対象物の使用開始時刻として記録する。また、同じ対象物ＩＤを最後にネットワーク受信部３１で受信した時刻を時計部３６より取得して対象物の使用終了時刻として記録する。この使用開始時刻および使用終了時刻が本発明による対象物の使用時刻情報に相当する。
【００３８】
例えば、看護師が担当の患者に対して看護業務を施す前に、その患者の衣類あるいはベッド等に設けたタグ装置１にタグリーダ装置２を近接させると、患者ＩＤが読み取られ、その患者ＩＤが看護師ＩＤと共にタグリーダ装置２からサーバ装置３に送信される。次に、看護師が医薬品や医療器具などの対象物を使用して看護業務を実施する際に、使用する個々の対象物またはその収納領域に設けたタグ装置１にタグリーダ装置２を近接させると、使用した対象物の対象物ＩＤが読み取られ、その対象物ＩＤが看護師ＩＤと共にタグリーダ装置２からサーバ装置３に送信される。
【００３９】
看護師が１つの対象物を使用している間は、同じ対象物ＩＤが看護師ＩＤと共に繰り返しサーバ装置３に送信される。このとき対象物記録部３２は、繰り返し送られてくる対象物ＩＤ等をその都度対象物使用履歴記憶部３３に１レコードずつ記録することはせずに、同じ対象物ＩＤが続けてネットワーク受信部３１にて受信されているか否かを監視する。そして、同じ対象物ＩＤの受信が止まったと判断したときに、それまで受信していた看護師ＩＤと対象物ＩＤを、最初に受信した患者ＩＤとセットにして１つのレコードに記録する。また、同じ対象物ＩＤを最初に受信した時刻を対象物の使用開始時刻として記録し、同じ対象物ＩＤを最後に受信した時刻を対象物の使用終了時刻として記録する。
【００４０】
次に、看護師が別の対象物を使用し始めると、別の対象物ＩＤが看護師ＩＤと共にサーバ装置３に送信され始める。このとき対象物記録部３２は、繰り返し送られてくる新たな対象物ＩＤ等も先ほどと同様にその都度対象物使用履歴記憶部３３に記録することはせずに、同じ対象物ＩＤが続けてネットワーク受信部３１にて受信されているか否かを監視する。そして、同じ対象物ＩＤの受信が止まったと判断したときに、それまで受信していた看護師ＩＤと対象物ＩＤを、最初に受信した患者ＩＤとセットにして１つのレコードに記録する。また、２番目の対象物ＩＤを最初に受信した時刻を対象物の使用開始時刻として記録し、２番目の対象物ＩＤを最後に受信した時刻を対象物の使用終了時刻として記録する。
【００４１】
なお、看護師が一人の患者に対して看護業務を行う場合、使用する対象物が複数であることが多い。そのため、最初にタグリーダ装置２で患者のタグ装置１から患者ＩＤが読み取られた後、使用した複数の対象物のそれぞれ毎に複数の対象物ＩＤが順次読み取られる。この場合に対象物記録部３２は、当該複数の対象物ＩＤをサーバ装置３の対象物使用履歴記憶部３３に１レコードずつ対象物の使用履歴情報として記録する。このとき、対象物記録部３２は、次の患者ＩＤが読み取られるまでは、同じ患者ＩＤを複数の対象物ＩＤに関連付けて記録する。
【００４２】
その後、タグリーダ装置２によって別の患者ＩＤが読み取られ、それがサーバ装置３に送信されてくると、対象物記録部３２は、その後にタグリーダ装置２から送られてくる１以上の対象物ＩＤを新たな患者ＩＤに関連付けて対象物使用履歴記憶部３３に１レコードずつ記録していく。
【００４３】
このような形式で対象物の使用履歴情報を記録することにより、同じ患者ＩＤが続けて記録されているレコードのまとまりを、看護師が一人の患者に対して看護業務を行ったときに使用した一連の対象物の履歴として捉えることが可能となる。また、看護師が一人の患者に対して看護業務を行ったときに使用した一連の対象物のうち最後に使用した対象物の使用終了時刻を、当該看護業務の実施時刻として捉えることが可能となる。さらに、看護師が一人の患者に対して看護業務を行ったときに使用した一連の対象物のうち、最初に使用した対象物の使用開始時刻から最後に使用した対象物の使用終了時刻までの経過時間を、当該看護業務の実施時間として捉えることが可能となる。
【００４４】
なお、図４の例では看護師ＩＤや患者ＩＤを使用履歴情報の一部として記録するようにしているが、これらは必ずしも必須の情報ではない。必須の情報ではない。患者ＩＤを記録しない場合は、患者ＩＤの読み取りも不要となる。患者ＩＤを記録しない場合は、例えば、対象物の使用開始時刻および使用終了時刻をもとに、看護師が一人の患者に対して看護業務を行ったときに使用した一連の対象物のまとまりを捉えることが可能である。
【００４５】
すなわち、一人の患者に対して１つの看護業務を行う際には複数の対象物を一連に使用することから、あるレコードに記録される使用終了時刻とその次のレコードに記録される使用開始時刻との差はあまり大きくならない。これに対して、ある患者に対する１つの看護業務を終えて次の患者に対して別の看護業務を行う際には、看護師が次の患者の場所まで移動する必要があることから、あるレコードに記録される使用終了時刻とその次のレコードに記録される使用開始時刻との差が大きくなる。そこで、あるレコードに記録される使用終了時刻とその次のレコードに記録される使用開始時刻との差が所定値以上か否かを判定することにより、看護師が一人の患者に対して看護業務を行ったときに使用した一連の対象物のまとまりを捉えることが可能である。
【００４６】
看護業務情報記憶部３４は、看護業務の内容とその看護業務で使用する１以上の対象物の種類とを互いに関連付けて成る看護業務情報を個々の看護業務毎に記憶する。図５は、看護業務情報記憶部３４に記憶されている看護業務情報の例を示す図である。図５に示す看護業務情報は、縦軸に看護業務の内容をとり、横軸に対象物の種類をとったテーブル情報から成る。このテーブル情報には、個々の看護業務毎にどの対象物を使用するのかという情報と、使用する対象物の内容を表す情報とが含まれている。
【００４７】
図５に示すテーブル情報は、一例として、患者に薬剤を投与する看護業務の内容とその看護業務において使用する対象物の種類とを示している。具体的には、看護業務の内容として、「皮下注射」「皮内注射」「筋肉内注射」および「内服」の４種類を示している。また、対象物の種類として、「注射せん」「処方せん」「注射薬」「内服薬」「注射器」「注射針」「薬杯」「アルコール綿」「トレイ」の９種類を示している。そして、個々の看護業務毎に、９種類の中のどの対象物を使用するか、「注射針」に関してはどの種類の注射針を使用するのかが示されている。
【００４８】
業務特定部３５は、対象物記録部３２により対象物使用履歴記憶部３３に記録された対象物の使用履歴情報（図４参照）と、看護業務情報記憶部３４に記憶されている看護業務情報（図５参照）とを照合し、対象物の使用履歴から看護業務の内容、実施時刻および実施時間を特定する。
【００４９】
具体的には、まず業務特定部３５は、対象物使用履歴記憶部３３に記録された使用履歴情報から、看護師が一人の患者に対して看護業務を行ったときに使用した一連の対象物を抽出する。この抽出方法は上述した通りである。次に業務特定部３５は、看護業務情報記憶部３４に記憶されている看護業務情報を参照して、上述のように抽出した１以上の対象物が全て含まれる看護業務を特定する。図４および図５の例では、看護師により行われた看護業務は「皮下注射」であると特定される。
【００５０】
また、業務特定部３５は、上述のように抽出した１以上の対象物のうち最後に使用した対象物の使用終了時刻を、当該１以上の対象物を使用した看護業務の実施時刻として特定する。さらに、業務特定部３５は、上述のように抽出した１以上の対象物のうち、最初に使用した対象物の使用開始時刻から最後に使用した対象物の使用終了時刻までの経過時間を、当該１以上の対象物を使用した看護業務の実施時間として特定する。
【００５１】
予定記憶部３７は、看護業務の実施予定を規定した看護業務予定情報を記憶する。この看護業務予定情報は、看護師自身が入力した予定情報に基づいて作成したものであっても良いし、医師が入力したオーダー情報に基づいて作成したものであっても良い。看護業務予定情報をどのように作成するかは本発明の主題でないので詳しい説明を割愛するが、例えば以下のようにして作成することが可能である。
【００５２】
例えば、予定情報またはオーダー情報の登録を行う端末（図示せず）が院内ネットワーク５に接続されていて、この端末から入力した予定情報またはオーダー情報をサーバ装置３に送信することにより、看護業務予定情報を予定記憶部３７上に作成する。または、サーバ装置３の外部端末で看護業務予定情報を作成し、これをリムーバル記録媒体にコピーしてサーバ装置３に入力することにより、予定記憶部３７に看護業務予定情報を記憶するようにしても良い。
【００５３】
図６は、予定記憶部３７に記憶されている看護業務予定情報の例を示す図である。図６に示す看護業務予定情報は、ある看護師のある一日における看護業務の実施予定を規定したものであり、実施対象の患者を特定する患者ＩＤ、実施予定の看護業務および開始予定時刻を項目として含んでいる。一日の中に実施予定の看護業務が複数存在する場合は、患者ＩＤ、実施予定の看護業務および開始予定時刻を１レコードとして、これが複数レコードにわたって記憶される。
【００５４】
業務照合部３８は、本発明の業務照合手段に相当するものであり、業務特定部３５により特定された看護業務を予定記憶部３７に記憶されている看護業務予定情報（図６参照）と照合することによって、予定にはない不測の看護業務、すなわち、ナースコールへの応答による看護業務が看護師によって行われたことを検出する。具体的には、業務照合部３８は、業務特定部３５により特定された看護業務が看護業務予定情報に含まれているか否かを判定する。そして、業務特定部３５により特定された看護業務が看護業務予定情報に含まれていないと判断したときに、不測の看護業務が看護師によって行われたことを検出する。
【００５５】
ここで、業務特定部３５により特定された看護業務が看護業務予定情報に含まれているか否かは、例えば看護業務予定情報の「看護業務」の項目を参照することによって判定することができる。また、補足的に「患者ＩＤ」の項目を参照することによって判定を行うこともできる。患者ＩＤを使えば、看護予定に含まれていない患者からのナースコールに応じて行った看護業務が看護業務予定情報の中に偶然含まれていたとしても、対象患者が違っていることから、予定にはない不測の看護業務であると判定することができる。
【００５６】
患者ＩＤを判定に使う場合、業務特定部３５では、看護業務を特定することに加えて、その看護業務を行った対象患者を特定する。図４に示したように、対象物使用履歴情報の中には患者ＩＤも項目として含まれているので、看護業務を行った対象患者を特定することが可能である。そして業務照合部３８は、業務特定部３５により特定された看護業務とその実施対象患者との組み合わせが看護業務予定情報に含まれているか否かを判定する。
【００５７】
予定変更部３９は、本発明の予定変更手段に相当するものであり、不測の看護業務が行われたことが業務照合部３８により検出されたときに、予定記憶部３７に記憶されている看護業務予定情報を変更する。具体的には、予定変更部３９は、看護業務予定情報に含まれる看護業務のうち、業務特定部３５により特定された不測の看護業務の実施時刻以降の看護業務に関する実施予定時刻を、当該不測の看護業務の実施時間に基づいて変更する。
【００５８】
より具体的には、不測の看護業務が実施された時刻以降の看護業務の実施予定時刻を、当該不測の看護業務の実施時間分だけ順次遅らせる。例えば、図４の例において、１番目の看護業務と２番目の看護業務との間に看護師がナースコールに応じて不測の看護業務を１０分間行ったとする。この場合に予定変更部３９は、２番目以降の看護業務の実施予定時刻を１０分ずつ後ろにシフトし、各看護業務の実施予定時刻を１０：３５、１０：５５、・・・に変更する。
【００５９】
また、看護業務予定情報の別の変更例として、不測の看護業務が実施された時刻以降の看護業務の実施スケジュールを、その日の最後の看護業務の予定終了時刻を変えないように、当該不測の看護業務の実施時間分だけ圧縮するようにしても良い。
【００６０】
予定出力部４０は、予定記憶部３７に記憶されている看護業務予定情報を外部に出力する。例えば、看護業務予定情報を看護師が所持する端末に出力することにより、看護師の端末に看護業務予定情報を表示できるように成されている。図２の例の場合、ナースコール制御機３’が備える予定出力部４０からコードレス主装置５２、無線基地局５４を介してＰＨＳ端末５３に看護業務予定情報を出力することにより、ＰＨＳ端末５３の画面上にて看護師が看護業務予定情報を確認することができる。
【００６１】
なお、図３のように構成した看護業務支援システム１０において、タグ装置１が備える発信部１２（識別情報出力手段）、サーバ装置３が備える対象物記録部３２、対象物使用履歴記憶部３３、看護業務情報記憶部３４、業務特定部３５および業務照合部３８により、本発明の不測業務実施検出手段が構成される。
【００６２】
次に、上記のように構成した本実施形態による看護業務管理システム１０の動作を説明する。図７は、タグリーダ装置２の動作例を示すフローチャートである。図７において、タグリーダ装置２の受信部２２は、タグ装置１からＩＤ（患者ＩＤまたは対象物ＩＤ）を受信したか否かを判定する（ステップＳ１）。ここで、ＩＤを受信していないと受信部２２にて判断した場合は（ステップＳ１にてＮＯ）、ステップＳ１に戻り、タグ装置１からＩＤを受信したか否かの監視を継続する。
【００６３】
一方、ＩＤを受信したと受信部２２にて判断した場合（ステップＳ１にてＹＥＳ）、受信部２２は、今回受信したＩＤが、前のタイミングで受信したＩＤと同じであるか否かを判定する（ステップＳ２）。今回受信したＩＤが前回受信したＩＤと同じでないと受信部２２にて判断した場合（ステップＳ２にてＮＯ）、タイマ２３は、読取時間をゼロにリセットした後（ステップＳ３）、タグリーダ装置２がタグ装置１からＩＤを読み取っている時間を計測する（ステップＳ４）。
【００６４】
これに対して、今回受信したＩＤが前回受信したＩＤと同じであると受信部２２にて判断した場合（ステップＳ２にてＹＥＳ）、ステップＳ４にジャンプし、タイマ２３は、受信部２２がタグ装置１からＩＤを読み取っている時間を計測する（ステップＳ４）。次に、送信判定部２４は、タイマ２３により計測された読取時間が所定時間以上であるか否かを判定する（ステップＳ５）。ここで、読取時間が所定時間以上でないと送信判定部２４にて判断した場合は（ステップＳ５にてＮＯ）、ステップＳ１の処理に戻る。
【００６５】
一方、読取時間が所定時間以上であると送信判定部２４にて判断した場合（ステップＳ５にてＹＥＳ）、ネットワーク送信部２５は、受信部２２により受信された患者ＩＤまたは対象物ＩＤと、看護師ＩＤ記憶部２１から読み出した看護師ＩＤとを、院内ネットワーク５を介してサーバ装置３に送信する（ステップＳ６）。その後処理はステップＳ１に戻る。
【００６６】
図８は、サーバ装置３の動作例を示すフローチャートである。図８において、ネットワーク受信部３１は、タグリーダ装置２から患者ＩＤを（看護師ＩＤと共に）受信したか否かを判定する（ステップＳ１１）。ここで、患者ＩＤを受信していないとネットワーク受信部３１にて判断した場合は（ステップＳ１１にてＮＯ）、処理はステップＳ１３にジャンプする。
【００６７】
一方、患者ＩＤを受信したとネットワーク受信部３１にて判断した場合（ステップＳ１１にてＹＥＳ）、対象物記録部３２は、その受信した患者ＩＤを看護師ＩＤと共に一時保存用のメモリ（図示せず）に保持する（ステップＳ１２）。次にネットワーク受信部３１は、タグリーダ装置２から対象物ＩＤを受信したか否かを判定する（ステップＳ１３）。ここで、対象物ＩＤを受信していないとネットワーク受信部３１にて判断した場合は（ステップＳ１３にてＮＯ）、処理はステップＳ１１に戻る。
【００６８】
一方、対象物ＩＤを受信したとネットワーク受信部３１にて判断した場合（ステップＳ１３にてＹＥＳ）、対象物記録部３２は、当該対象物ＩＤを受信した時刻を対象物の使用開始時刻として時計部３６より取得する（ステップＳ１４）。さらに、対象物記録部３２は、ステップＳ１３で受信した対象物ＩＤとステップＳ１４で取得した使用開始時刻とを一時保存用のメモリに保持する（ステップＳ１５）。
【００６９】
次に、ネットワーク受信部３１は、タグリーダ装置２から対象物ＩＤを更に受信したか否かを判定する（ステップＳ１６）。ここで、対象物ＩＤを受信していないとネットワーク受信部３１にて判断した場合は（ステップＳ１６にてＮＯ）、処理はステップＳ１１に戻る。一方、対象物ＩＤを受信したとネットワーク受信部３１にて判断した場合（ステップＳ１６にてＹＥＳ）、対象物記録部３２は、ステップＳ１６で対象物ＩＤを受信したときの時刻を時計部３６より取得し、これを対象物の使用終了時刻の候補として一時保存用のメモリに保持する（ステップＳ１７）。
【００７０】
その後、対象物記録部３２は、今回受信した対象物ＩＤが、前のタイミングで受信した対象物ＩＤと同じであるか否かを判定する（ステップＳ１８）。ここで、今回受信した対象物ＩＤが前回受信した対象物ＩＤと同じであると対象物記録部３２にて判断した場合（ステップＳ１８にてＹＥＳ）、処理はステップＳ１６に戻る。なお、ステップＳ１６〜Ｓ１８のループが繰り返し行われている間、ステップＳ１７では、対象物の使用終了時刻（候補）が一時保存用のメモリに上書きして記憶される。
【００７１】
そして、今回受信した対象物ＩＤが前回受信した対象物ＩＤと同じでないと対象物記録部３２にて判断した場合（ステップＳ１８にてＮＯ）、対象物記録部３２は、ステップＳ１２で一時メモリに保持した看護師ＩＤおよび患者ＩＤと、ステップＳ１５で一時メモリに保持した対象物ＩＤおよび対象物の使用開始時刻と、ステップＳ１７で一時メモリに保持した対象物の使用終了時刻とを対象物使用履歴記憶部３３の１つのレコードに記録する（ステップＳ１９）。
【００７２】
その後、業務特定部３５は、看護師が一人の患者に対して行った１つの看護業務が終わったかどうかを判定する（ステップＳ２０）。この判定は、例えば、ステップＳ１９で最後のレコードに記録した患者ＩＤがその前のレコードに記録した患者ＩＤと異なるか否かを判断することによって行うことができる。上述したように、同じ患者ＩＤが続けて記録されているレコードのまとまりを１つの看護業務として捉えることができるからである。
【００７３】
また、ステップＳ１９で最後のレコードに記録した対象物の使用開始時刻と、その前のレコードに記録した対象物の使用終了時刻との差が所定値以上か否かを判断することによっても、１つの看護業務が終わったかどうかを判定することができる。なお、このステップＳ２０の判定を行った段階では、何か１つの看護業務が終わったことが検出されるが、その看護業務の内容は特定されていない。
【００７４】
１つの看護業務がまだ終わっていないと業務特定部３５にて判断した場合（ステップＳ２０にてＮＯ）、処理はステップＳ１１に戻る。一方、１つの看護業務が終わったと業務特定部３５にて判断した場合には（ステップＳ２０にてＹＥＳ）、業務特定部３５は、対象物使用履歴記憶部３３および看護業務情報記憶部３４を参照することにより、その看護業務の内容、実施時刻および実施時間を特定する（ステップＳ２１）。
【００７５】
次に、業務照合部３８は、業務特定部３５により特定された看護業務を予定記憶部３７に記憶されている看護業務予定情報と照合する（ステップＳ２２）。そして、業務照合部３８は、その照合結果に基づいて、ナースコールへの応答などによって不測の看護業務が看護師により行われたか否かを判定する（ステップＳ２３）。ここで業務照合部３８は、例えば、業務特定部３５により特定された看護業務が予定記憶部３７の看護業務予定情報に含まれているか否かを判定する。
【００７６】
そして、業務特定部３５により特定された看護業務が予定記憶部３７の看護業務予定情報に含まれていて、不測の看護業務が看護師によって行われていないと業務照合部３８にて判断した場合（ステップＳ２３にてＮＯ）、処理はステップＳ１１に戻る。一方、不測の看護業務が看護師によって行われたと業務照合部３８にて判断した場合（ステップＳ２３にてＹＥＳ）、予定変更部３９は、予定記憶部３７に記憶されている看護業務予定情報を変更する（ステップＳ２４）。その後処理はステップＳ１１に戻る。
【００７７】
以上詳しく説明したように、本実施形態の看護業務管理システム１０では、タグ装置１から読み取った対象物ＩＤ等をもとに生成した対象物の使用履歴情報から看護師が行った看護業務を業務特定部３５により特定し、特定した看護業務と看護業務予定情報とを業務照合部３８が照合することにより、看護業務予定情報に含まれていない不測の看護業務が看護師によって行われたか否かを判定する。そして、不測の看護業務が看護師によって行われたことが検出されたときに、予定記憶部３７の看護業務予定情報を予定変更部３９が変更するようにしている。
【００７８】
これにより、例えば看護師が看護業務予定情報に従って看護業務を行っている途中で、ナースコールに応答して不測の看護業務を行うと、不測の看護業務を行ったことが検出されて、当該不測の看護業務を行った時間を考慮して看護業務予定情報が変更されることとなる。これにより、看護師は、ナースコールに応答して不測の看護業務を行った後も、予定通りに看護業務を実施できていないという焦燥感に駆られることなく、変更された看護業務予定情報に従って看護業務を行うことができる。
【００７９】
なお、上記実施形態では、タグリーダ装置２が送信判定部２４を備え、対象物ＩＤの読取時間が所定時間以上のときのみタグリーダ装置２からサーバ装置３に対象物ＩＤを送信する例について説明したが、これに限定されない。例えば、読み取られた対象物ＩＤは全てタグリーダ装置２からサーバ装置３に送信し、サーバ装置３内において、同じ対象物ＩＤを続けて所定個以上受信したか否かを判定して、所定個以上同じ対象物ＩＤを続けて受信したときのみ対象物の使用履歴情報として記録するようにしても良い。
【００８０】
また、上記実施形態では、タグ装置１が識別情報出力手段を備える構成について説明したが、タグリーダ装置２が備えるようにしても良い。例えば、医薬品の包装、薬品収納ケース、医療機器、医療器具、カルテ、処方箋、食器などの個々の対象物や患者のベッドに小型のタグリーダ装置を取り付け、タグ装置を看護師が携帯するようにする。この場合、タグ装置が看護師ＩＤを記憶し、タグリーダ装置が患者ＩＤまたは対象物ＩＤを記憶している。
【００８１】
看護師が対象物を使用する際には、自己が所有するタグ装置を対象物のタグリーダ装置に近接させる。これに応じてタグリーダ装置は、タグ装置から看護師ＩＤを取得するとともに、自身の内部メモリに記憶している対象物ＩＤを読み出してサーバ装置３に送信する。このときタグリーダ装置は、タグリーダ装置がタグ装置から看護師ＩＤを読み取った時間が所定時間以上である場合、または、タグリーダ装置がタグ装置から看護師ＩＤを所定時間以内に所定回数以上読み取った場合にのみ、タグリーダ装置の内部から取得された対象物ＩＤをサーバ装置３に送信して対象物使用履歴記憶部３３に記録させる。
【００８２】
また、上記実施形態では、対象物使用履歴情報として記録された１つの看護業務を表す一まとまりの対象物のうち、最初に使用した対象物の使用開始時刻から最後に使用した対象物の使用終了時刻までの経過時間を看護業務の実施時間として特定する例について説明したが、これに限定されない。例えば、個々の看護業務について想定される実施時間をテーブル情報などにあらかじめ記憶しておき、このテーブル情報を参照することによって看護業務の実施時間を特定するようにしても良い。
【００８３】
この場合、予定変更部３９は、看護業務予定情報に含まれる看護業務のうち、業務特定部３５により特定された不測の看護業務の実施時刻以降の看護業務に関する実施予定時刻を、当該不測の看護業務についてテーブル情報においてあらかじめ決められた実施時間に基づいて変更する。このように看護業務の実施時間をテーブル情報によりあらかじめ決めておく場合、対象物使用履歴記憶部３３に記憶する対象物使用履歴情報の各項目のうち、対象物の使用終了時刻は看護業務の実施時刻として捉えるために必要であるが、対象物の使用開始時刻は必ずしも必須の情報ではない。
【００８４】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【図面の簡単な説明】
【００８５】
【図１】本実施形態による看護業務管理システムの全体構成例を示す図である。
【図２】本実施形態による看護業務管理システムの他の構成例を示す図である。
【図３】本実施形態によるタグ装置、タグリーダ装置およびサーバ装置の機能構成例を示すブロック図である。
【図４】本実施形態の対象物使用履歴記憶部に記憶される対象物の使用履歴情報の例を示す図である。
【図５】本実施形態の看護業務情報記憶部に記憶されている看護業務情報の例を示す図である。
【図６】本実施形態の予定記憶部に記憶されている看護業務予定情報の例を示す図である。
【図７】本実施形態によるタグリーダ装置の動作例を示すフローチャートである。
【図８】本実施形態によるサーバ装置の動作例を示すフローチャートである。
【符号の説明】
【００８６】
１  タグ装置
２  タグリーダ装置
３  サーバ装置
１１  ＩＤ記憶部
１２  発信部
２１  看護師ＩＤ記憶部
２２  受信部
２３  タイマ
２４  送信判定部
２５  ネットワーク送信部
３１  ネットワーク受信部
３２  対象物記録部
３３  対象物使用履歴記憶部
３４  看護業務情報記憶部
３５  業務特定部
３６  時計部
３７  予定記憶部
３８  業務照合部
３９  予定変更部
４０  予定出力部
【図１】
0005048434.tif 000002
【図２】
0005048434.tif 000003
【図３】
0005048434.tif 000004
【図４】
0005048434.tif 000005
【図５】
0005048434.tif 000006
【図６】
0005048434.tif 000007
【図７】
0005048434.tif 000008
【図８】
0005048434.tif 000009